(57)【要約】    【課題】固定具による固定が不十分な場合にもアース線の接続状態を維持できるようにする。    【解決手段】第１部材１６と第２部材５１との間に、その少なくとも一方のアース部に接続されるアース線５７を介在し、第１部材１６と第２部材５１との間でアース線５７を固定する固定具６１を備えている。アース線５７は通孔６０ａを有する端子具６０を有する。第１部材１６、第２部材５１は端子具６０を板厚方向の両側から挟む突出部５８，５９を備え、固定具６１は端子具６０の通孔６０ａを貫通して第１部材１６と第２部材５１とを固定する。【選択図】図４
2016165403.tif 000002
【特許請求の範囲】
【請求項１】
第１部材と第２部材との間に、その少なくとも一方のアース部に接続されるアース線を介在し、
前記第１部材と前記第２部材との間で前記アース線を固定する固定具を備えた
ことを特徴とする遊技機。
【請求項２】
前記アース線は通孔を有する端子具を備え、
前記第１部材、前記第２部材は前記端子具を板厚方向の両側から挟む突出部を備え、
前記固定具は前記端子具の前記通孔を貫通して前記第１部材と前記第２部材とを固定する
ことを特徴とする請求項１に記載の遊技機。
【請求項３】
前記第１部材の前記突出部は下側に配置された受け部であり、
前記第２部材の前記突出部は前記受け部の上側に配置された前記アース部である
ことを特徴とする請求項２に記載の遊技機。
【請求項４】
前記第１部材、前記第２部材は前記端子具の前記固定具廻りの位置を決める位置決め手段を何れか一方に、又は前記第１部材と前記第２部材とに跨がって備えた
ことを特徴とする請求項２又は３に記載の遊技機。
【請求項５】
前記第１部材、前記第２部材は合成樹脂製であり、
前記アース部は前記部材の表面に形成された金属メッキによる導体層を有する
ことを特徴とする請求項１〜４の何れかに記載の遊技機。
【発明の詳細な説明】
【技術分野】
【０００１】
本発明は、パチンコ機、アレンジボール機、スロットマシン等の遊技機に関するものである。
【背景技術】
【０００２】
遊技機、例えばパチンコ機等の弾球遊技機では、大量の遊技球が通路等を移動するため、遊技球と合成樹脂製の通路壁等の構成部材との間で静電気が発生する。一方、その静電気をそのまま放置しておけば、放電時のスパークによりノイズが発生して誤動作、故障等の事故を招く等の問題がある。
そこで、従来は帯電し易い構成部材に導電性のアース部を設け、アース線の端子具に挿通した固定ネジをアース部に締め付けて固定し、そのアース線を通じて構成部材側の電荷を大地に逃がすようにしている（特許文献１）。
【先行技術文献】
【特許文献】
【０００３】
【特許文献１】特開２０１１−９２２５７号公報
【発明の概要】
【発明が解決しようとする課題】
【０００４】
従来のアース線の接続構造では、アース線の端子具を固定ネジによりアース部に直接締め付けているため、固定ネジの締め付けが不十分であれば、アース線の端子具がアース部から浮き上がって電気的な接続状態を保てなくなり、その結果、放電時のノイズによる誤動作、故障等の事故に至るという懸念があった。
本発明は、このような従来の問題点に鑑み、固定具による固定が不十分な場合にもアース線の接続状態を維持できる遊技機を提供することを目的とする。
【課題を解決するための手段】
【０００５】
本発明は、第１部材と第２部材との間に、その少なくとも一方のアース部に接続されるアース線を介在し、前記第１部材と前記第２部材との間で前記アース線を固定する固定具を備えたものである。
前記アース線は通孔を有する端子具を備え、前記第１部材、前記第２部材は前記端子具を板厚方向の両側から挟む突出部を備え、前記固定具は前記端子具の前記通孔を貫通して前記第１部材と前記第２部材とを固定するようにしてもよい。
前記第１部材の前記突出部は下側に配置された受け部であり、前記第２部材の前記突出部は前記受け部の上側に配置された前記アース部であってもよい。前記第１部材、前記第２部材は前記端子具の前記固定具廻りの位置を決める位置決め手段を何れか一方に、又は前記第１部材と前記第２部材とに跨がって備えたものでもよい。
前記第１部材、前記第２部材は合成樹脂製であり、前記アース部は前記部材の表面に形成された金属メッキによる導体層を有するものでもよい。
【発明の効果】
【０００６】
本発明によれば、固定具による固定が不十分な場合にもアース線の接続状態を維持できる利点がある。
【図面の簡単な説明】
【０００７】
【図１】本発明の第１の実施形態を示すパチンコ機の正面図である。
【図２】同貯留皿、演出ボタンユニット側の平面図である。
【図３】同貯留皿、演出ボタンユニット側の一部破断側面図である。
【図４】同アース線固定部の平面図である。
【図５】同アース線固定部の断面図である。
【図６】同アース線固定部の断面図である。
【図７】本発明の第２の実施形態を示すアース線固定部の平面図である。
【図８】同アース線固定部の断面図である。
【図９】本発明の第３の実施形態を示すアース線固定部の平面図である。
【図１０】同アース線固定部の断面図である。
【図１１】本発明の第４の実施形態を示すアース線固定部の平面図である。
【図１２】同アース線固定部の断面図である。
【図１３】（ａ）（ｂ）は本発明の第５の実施形態を示すアース線固定部の断面図である。
【図１４】本発明の第６の実施形態を示すアース線固定部の断面図である。
【図１５】本発明の第７の実施形態を示すアース線固定部の断面図である。
【図１６】同アース線固定部の側面図である。
【発明を実施するための形態】
【０００８】
以下、本発明の各実施形態を図面に基づいて詳述する。
【０００９】
図１〜図６は本発明をパチンコ機１に採用した第１の実施形態を示す。パチンコ機１は、図１に示すように、矩形状の外枠２と、この外枠２の前側にヒンジ３により縦軸廻りに開閉自在に枢着された前枠４とを備えている。なお、外枠２と前枠４とにより、遊技機本体が構成されている。
【００１０】
前枠４には、前側から着脱自在に装着された遊技盤５が上部に設けられ、この遊技盤５の遊技領域６へと遊技球を発射する発射手段（図示省略）が下部に夫々設けられ、また遊技盤５、発射手段等の前側にヒンジ８により開閉自在に枢着された前扉７が配置されている。ヒンジ３，８は縦方向の略同一軸心上に配置されている。
【００１１】
前扉７は、遊技盤５の遊技領域６に対応する透視窓１０を有する扉枠１２と、この扉枠１２の裏側に着脱自在に装着され且つ遊技領域６を視認可能に透視窓１０を塞ぐガラス板ユニット（図示省略）とを備えている。また前扉７には透視窓１０の上側に左右一対の上部スピーカ１３と送風演出ユニット１４とが設けられ、透視窓１０の下部側の左右両側に下部スピーカ１５が設けられている。
【００１２】
前扉７の下部側には、図１、図２に示すように、発射用の遊技球を貯留する貯留皿１６と、余剰球を貯留する余剰皿１７とが支持板１９の前側に上下に配置され、その貯留皿１６の前側中央に演出ボタンユニット１８が、余剰皿１７の反対側に発射手段用の発射ハンドル２０が夫々設けられている。貯留皿１６、余剰皿１７、演出ボタンユニット１８の周辺は、支持板１９に固定された下部カバー２１と底板２２とにより覆われている。
【００１３】
下部カバー２１は、図２、図３に示すように上カバー部２１ａと前カバー部２１ｂとを有し、その上カバー部２１ａには貯留皿１６、演出ボタンユニット１８の一側近傍に上下方向に開口する開口部２３と、この開口部２３を塞ぐ着脱カバー２４とが設けられている。
【００１４】
着脱カバー２４は、図２に示すように球抜きボタン２５、球貸しボタン２６、返却ボタン２７等を有する。また着脱カバー２４は、図３に示すように、支持板１９側へと裏側に突出する複数本の取り付けボス２８を一体に備え、支持板１９の裏側から取り付けボス２８に螺合するネジ２９等により支持板１９に着脱自在に固定されている。
【００１５】
遊技領域６は、図１に示すように、遊技盤５の前面に装着されたガイドレール３１等により取り囲まれており、この遊技領域６には、センターケース等の前構造体３２と、前構造体３２の表示窓３３に対応して遊技盤５に裏側から装着された液晶式、その他の画像表示手段３０とが略中央部に配置され、また前構造体３２の周辺に普通図柄始動手段３４、特別図柄始動手段３５、可変入賞手段３６、普通入賞手段３７等の各種の遊技部品が配置されている。
【００１６】
前構造体３２には、表示窓３３の上側に可動演出手段３８が、表示窓３３の下側に遊技球の転動用のステージ部３９が夫々設けられ、また表示窓３３の左右一側等の適当部位に普通図柄表示手段４０、特別図柄表示手段４１が設けられている。
【００１７】
普通図柄始動手段３４は通過ゲート式であって、ガイドレール３１と前構造体３２との間に配置されている。特別図柄始動手段３５、可変入賞手段３６は前構造体３２のステージ部３９の下方で上下に配置され、その可変入賞手段３６の左右両側に普通入賞手段３７が配置されている。
【００１８】
特別図柄始動手段３５は上側の非開閉式始動口３５ａと、下側の開閉式始動口３５ｂとを有する。開閉式始動口３５ｂは左右一対の開閉部材３５ｃを備えた電動チューリップ式入賞手段等により構成され、普通図柄表示手段４０の変動後の普通図柄が特定態様で停止した場合に所定の開放パターンで開放するようになっている。
【００１９】
可変入賞手段３６は特別図柄表示手段４１の変動後の特別図柄が特別態様で停止した場合に発生する特別遊技状態中に所定の開放パターンで開閉するもので、可変入賞口３６ａを開閉する開閉部材３６ｂを有し、この可変入賞口３６ａに遊技球が入賞したときに、他の普通入賞手段３７等への入賞よりも多くの賞球が払い出されるようになっている。
【００２０】
なお、可変入賞手段３６の開閉パターンは、開放後に所定数（例えば１０個）の遊技球が入賞するか、所定時間（例えば３０秒）が経過するかの何れか早い方で閉じる開閉動作を１ラウンドとして、そのラウンド数の違いにより複数の種類があり、特別遊技の抽選時にその複数種類の開閉パターンの何れかが抽選される。
【００２１】
普通図柄表示手段４０は普通図柄を変動表示するためのもので、その普通図柄は２個（複数）の普通図柄表示ＬＥＤの点灯、消灯の組み合わせにより構成され、普通図柄始動手段３４が遊技球を検出することを条件に２個の普通図柄表示ＬＥＤが交互に点灯するように所定時間変動して、普通図柄始動手段３４の遊技球の検出に基づいて抽選された抽選結果が特定遊技の場合に一方の表示部が発光して停止し、それ以外の非特定遊技の場合に他方が発光して停止する。なお、変動後の普通図柄は１／１０程度の所定の確率で特定態様となる。
【００２２】
特別図柄表示手段４１は発光部位の変化等で特別図柄を変動表示可能なセグメント式の表示素子等により構成されており、特別図柄始動手段３５が遊技球を検出することを条件に特別図柄が所定時間変動して、その遊技球の検出に基づいて抽選された抽選結果が特別遊技の場合に所定の特別遊技態様で、それ以外の場合に非特別遊技態様で停止するようになっている。
【００２３】
なお、変動後の特別図柄は、通常確率状態中は１／３５０等の通常確率で特別遊技となり、特別遊技状態終了後の高確率状態中は１／３５等の高確率で特別遊技となる。
【００２４】
画像表示手段３０は演出図柄表示手段４４等を構成する。演出図柄表示手段４４は特別図柄表示手段４１の変動時にその特別図柄に同期して演出図柄４４ａ〜４４ｃを変動表示するためのものである。この演出図柄４４ａ〜４４ｃは特別図柄始動手段３５の遊技球の検出を条件に、抽選により決定された所定の演出図柄変動パターンを経て所定時間変動した後、特別図柄の変動終了に同期して所定の順序で順次停止する。
【００２５】
演出図柄４４ａ〜４４ｃの変動後の停止図柄は、特別図柄が特別態様で停止する場合には二つが揃うリーチを経て全てが揃う特別演出態様となり、特別図柄が非特別態様で停止する場合には少なくとも一部が異なる非特別演出態様となる。
【００２６】
なお、演出図柄４４ａ〜４４ｃには０〜９までの数字図柄が使用されており、特別図柄が特別態様で停止する場合には「７・７・７」等の特別演出態様で停止し、特別図柄が非特別態様で停止する場合には「２・４・５」等の非特別演出態様で停止するようになっている。
【００２７】
貯留皿１６は、図２に示すように、前扉７の左右中央よりもヒンジ３，８側に配置された貯留部４６と、前扉７の左右中央側に平面視Ｕ字状に配置され且つ貯留部４６からの遊技球を一列状に整列させる整列部４７とを備え、整列部４７から球送り手段（図示省略）を経て発射手段に遊技球を供給するようになっている。
【００２８】
演出ボタンユニット１８は、図２、図３に示すように、前扉７の左右方向の略中央で貯留皿１６の整列部４７の前側に配置されており、演出ボタン４９と、この演出ボタン４９の外側に配置された演出ボタンカバー５０と、演出ボタンカバー５０の外周に設けられ且つ下部カバー２１との境界部分を覆う外周枠５１とを有する。
【００２９】
演出ボタン４９は所定の有効操作期間に画像表示手段３０に表示される操作指令等に従って押圧したときに、特別図柄表示手段４１の特別図柄の変動後に発生する特別遊技の有無の予告演出等を行わせるためのものであって、上端側に押圧操作部４９ａを有し、その押圧操作部４９ａが演出ボタンカバー５０の開口５０ａから上側に突出するように、受け台５２上に支持枠５３等を介して上下動自在に支持され、受け台５２との間に設けられた複数個の付勢手段５４により上向きに付勢されている。
【００３０】
演出ボタン４９は上部側が受け台５２上の支持枠５３により、下部側が付勢手段５４を介して受け台５２により夫々支持されており、押圧操作部４９ａが演出ボタンカバー５０から突出する範囲内で上下動可能である。受け台５２側には演出ボタン４９の操作を検出する検出スイッチ（図示省略）が設けられている。
【００３１】
なお、演出ボタン４９の内部には回転発光演出手段５５と、この回転発光演出手段５５を制御する電子部品等が組み込まれている。演出ボタン４９、演出ボタンカバー５０は光透過性を有し、通常時には内部機構が視認できないように凹凸状の乱反射部が内側に設けられている。
【００３２】
貯留皿１６、余剰皿１７、支持板１９、下部カバー２１、演出ボタン４９、演出ボタンカバー５０、外周枠５１等は合成樹脂製であり、絶縁性を有する。貯留皿１６には整列部４７等の適当箇所に遊技球等の静電気を大地に逃がすように金属板（図示省略）が設けられている。貯留皿１６と外周枠５１は別々に固定されており、貯留皿１６は支持板１９に、外周枠５１は下部カバー２１等に夫々固定されている。
【００３３】
外周枠５１は表面に金属メッキが施されており、その金属メッキ層による導体層５６が略全表面に設けられている。なお、導体層５６は金属を蒸着した蒸着層により形成してもよい。外周枠５１は開口部２３の内側で外周枠５１に固定されたアース線５７を介して大地に接続されている。
【００３４】
アース線５７の固定構造は、図４〜図６に示すように構成されている。即ち、貯留皿（第１部材）１６には整列部４７から前側に突出する第１突出部５８が、外周枠（第２部材）５１には第１突出部５８の上側で後側へと突出する第２突出部５９が夫々開口部２３の下側に対応して設けられている。アース線５７は一端側に端子具（導体部）６０を有し、その端子具６０が第１突出部５８と第２突出部５９との間に介在されている。
【００３５】
端子具６０は第１突出部５８と第２突出部５９とにより上下の板厚方向の両側から挟まれて、第２突出部５９側から挿通されて第１突出部５８に螺合する固定ネジ（固定具）６１により固定している。
【００３６】
アース線５７は銅線等の導体部５７ａと、この導体部５７ａを被覆する絶縁性の被覆部５７ｂとを有する。端子具６０は板状であって、固定ネジ６１用の通孔６０ａを有し、カシメ部６０ｂ，６０ｃを介して導体部５７ａ、被覆部５７ｂに夫々固定されている。
【００３７】
第１突出部５８は整列部４７の前壁部４７ａから前側に略水平状に突出しており、この第１突出部５８には下側に突出する取り付け部５８ａと、アース線５７が前壁部４７ａに沿うように端子具６０を位置決めするための位置決め手段６４とが設けられている。取り付け部５８ａは固定ネジ６１用の下孔５８ｂを有する。
【００３８】
位置決め手段６４は端子具６０のカシメ部６０ｂの両側で上向きに突出する一対の位置決め突起６４ａを有し、この一対の位置決め突起６４ａにより端子具６０を位置決めするようになっている。
【００３９】
なお、第１突出部５８の上面側には、着脱カバー２４の端縁を下側から受ける受け縁部６５と、この受け縁部６５上の着脱カバー２４の端縁が当接する当接縁部６６とが設けられている。受け縁部６５は第１突出部５８と前壁部４７ａとに一体に形成され、前壁部４７ａから突出する第１突出部５８を補強するようになっている。
【００４０】
第２突出部５９は第１突出部５８の上側で外周枠５１から後側へと略水平状に突出しており、この第２突出部５９には固定ネジ６１用の取り付け孔５９ａが形成されると共に、第２突出部５９と外周枠５１との間に補強部５９ｂが一体に形成されている。なお、外周枠５１は着脱カバー２４の端縁を下側から受ける受け縁部５１ａを有し、この受け縁部５１ａから突出するように第２突出部５９が設けられている。
【００４１】
第１突出部５８は端子具６０を下側から受ける受け部を構成し、第２突出部５９は外周枠５１側のアース部を構成している。そして、第１突出部５８と第２突出部５９との間の上下方向の間隔は、貯留皿１６の支持板１９に、外周枠５１を下部カバー２１に夫々固定したときに、端子具６０の板厚と略同じ程度となって、両者により端子具６０を上下両側から挟むようになっている。固定ネジ６１は第２突出部５９の上側からその取り付け孔５９ａに挿入され、端子具６０の通孔６０ａを経て第１突出部５８の取り付け部５８ａに螺合して締め付けられている。
【００４２】
このような演出ボタンユニット１８を採用したパチンコ機１では、遊技中に演出ボタン４９の操作が有効になる有効操作期間となる毎に演出ボタン４９を押圧操作する。そのため遊技中に遊技者が演出ボタン４９を操作する都度、遊技者の掌が外周枠５１の導体層５６に接触することとなり、遊技者の着衣等に帯電した電荷を導体層５６からアース線５７を通じて大地へと逃がすことができる。従って、スパーク放電時のノイズにより、演出ボタンユニット１８の近傍の電子部品が誤動作する等の問題を防止することができる。
【００４３】
アース線５７を接続する場合には、貯留皿１６の第１突出部５８上にアース線５７の端子具６０をセットした後、第１突出部５８との間で端子具６０を挟むように、その端子具６０上に第２突出部５９を載せて演出ボタンユニット１８の外周枠５１を下部カバー２１に配置して固定する。
【００４４】
次に第２突出部５９の取り付け孔５９ａから通孔６０ａへと固定ネジ６１を挿入して、この固定ネジ６１を取り付け部５８ａに螺合して締め付ける。そして、最後に着脱カバー２４を支持板１９に装着して、アース線５７の上側の開口部２３を塞げばよい。
【００４５】
このように第１突出部５８とその上側の第２突出部５９とでアース線５７の端子具６０を挟んだ後、その第１突出部５８と第２突出部５９とに固定ネジ６１を締め付けて端子具６０を固定するようにすれば、アース線５７を第２突出部５９に確実に接続することができる。
【００４６】
また仮に固定ネジ６１の締め付けが不十分な場合でも、アース線５７の端子具６０を第１突出部５８と第２突出部５９とにより上下両側から挟んでいるため、端子具６０の第２突出部５９に対する電気的な接続状態を容易に維持することができる
更に第１突出部５８には一対の位置決め突起６４ａを備えた位置決め手段６４があり、この位置決め手段６４で端子具６０を固定ネジ６１廻りに位置決めしているため、組み立て時の作業が容易であると共に、アース線５７を略一定の方向に保つことができる。また固定ネジ６１の締め付けが不十分な場合にも、振動等による端子具６０の脱落を防止することも可能である。
【００４７】
なお、この実施形態では、受け部を構成する第１突出部５８が下側となり、アース部を構成する第２突出部５９が上側となっているが、組み立て時に貯留皿１６を先に組み込み、その後に演出ボタンユニット１８を組み込むためである。組み込み順序が逆の場合には、第２突出部５９が下側となり、第１突出部５８が上側となる。
【００４８】
図７、図８は本発明の第２の実施形態を示す。この実施形態では、図７、図８に示すように、位置決め手段６４は一対の位置決め突起６４ａの一方が、整列部４７の前壁部４７ａ側の受け縁部６５ａの端部により構成されている。他の構成は第１の実施形態と同様である。
【００４９】
このように位置決め手段６４は、その一方を受け縁部６５ａの端部で構成する等、他の部材を有効に活用してもよい。また第１突出部５８の上面側に、端子具６０の下側部分が入る凹部を形成して、この凹部により位置決め手段６４を構成してもよい。
【００５０】
図９、図１０は本発明の第３の実施形態を示す。この実施形態では、図９、図１０に示すように、位置決め手段６４の一対の位置決め突起６４ａの内、その一方の位置決め突起６４ａに端子具６０上に屈曲する外れ止め部６４ｂが設けられている。他の構成は第１の実施形態と同様である。
【００５１】
このように位置決め突起６４ａに外れ止め部６４ｂを設けることにより、第１突出部５８上にアース線５７の端子具６０を載せて第２突出部５９を載せるまでの間に、アース線５７側の弾性力、その他による端子具６０の脱落等を防止できるので、組み立て作業を容易に行うことができる。
【００５２】
図１１、図１２は本発明の第４の実施形態を示す。この実施形態では、端子具６０の板状部６０ｄの両側に屈曲部６０ｅが設けられている。そして、この端子具６０は各屈曲部６０ｅが第１突出部５８に、板状部６０ｄが第２突出部５９に夫々接触するように両突出部５８，５９間に介在され、通孔６０ａを貫通する固定ネジ６１により両突出部５８，５９に固定されている。他の構成は各実施形態と同様である。
【００５３】
このように貯留皿１６、外周枠５１等の周辺部分の形状、構造によっては、第１突出部５８と第２突出部５９との間隔が端子具６０の板厚よりも十分に大きくなる場合がある。その場合でも、端子具６０に屈曲部６０ｅを設ける等によって、他のスペーサ等を使用することなく端子具６０を両突出部５８，５９間に容易に組み込むことができる。
【００５４】
また端子具６０の板状部６０ｄが第２突出部５９の導体層５６に接触するため、端子具６０に屈曲部６０ｅがあっても、その屈曲部６０ｅで導体層５６を損傷するようなこともない。更に屈曲部６０ｅによって端子具６０に板厚方向の弾力性を持たせことが可能であり、固定ネジ６１の緩みを少なくすることができる。
【００５５】
図１３は本発明の第５の実施形態を示す。この実施形態では、図１３（ａ）（ｂ）に示すように、第１突出部５８と第２突出部５９との間に端子具６０と別部材とが介在されている。
【００５６】
図１３（ａ）の場合には、第１突出部５８と端子具６０との間に、端子具６０を第２突出部５９に接触させるためのスペーサ６７が介在されている。このスペーサ６７は弾性リング等が適当であり、また脱落しないように第１突出部５８の凹部５８ｃ内に配置してもよい。
【００５７】
図１３（ｂ）の場合には、第２突出部５９と端子具６０との間に、端子具６０を第２突出部５９に導通させるためのスペーサ６８が介在されている。このスペーサ６８は金属製リング、合成樹脂製リングの外周に金属メッキを施したもの等が適当である。なお、スペーサ６８はその突部６８ａを端子具６０の通孔６０ａに嵌合させる等、脱落し難くなるように端子具６０と結合してもよい。
【００５８】
図１４は本発明の第６の実施形態を示す。この実施形態では、図１４に示すように、貯留皿１６の整列部４７内に鉄板等の導体板７２が配置され、この導体板７２の一部である導体部７２ａが前壁部４７ａの開口を貫通して第１突出部５８の上側に引き出されている。導体板７２は整列部４７の内面形状に沿って屈曲状に構成されている。
【００５９】
演出ボタンユニット１８の外周枠５１は、金属メッキのメッキ層からなる導体層５６を有し、第２突出部５９が設けられている。第１突出部５８と第２突出部５９との間には、貯留皿１６側の導体板７２側の導体部７２ａと第２突出部５９間にアース線５７の端子具６０が介在されている。他の構成は各実施形態と同様である。
【００６０】
この場合には、貯留皿１６と外周枠５１との両者をアース線５７により大地に接続することができる。従って、このように貯留皿１６側の第１突出部５８と外周枠５１の第２突出部５９との両方を共にアース部としてもよい。その場合、導体部７２ａは導体板７２以外のメッキ層、蒸着層等の金属皮膜で構成することも可能である。なお、端子具６０は導体板７２の導体部７２aと第１突出部５８との間に介在してもよい。
【００６１】
図１５、図１６は本発明の第７の実施形態を示す。この実施形態では、球タンク７０に対するアース線５７の固定構造に採用した場合を例示する。球タンク７０は前枠４の裏側の上部に横長状に装着されており、賞球、貸し球として払い出す遊技球を貯留するためのものである。
【００６２】
この球タンク７０は導電性を有する合成樹脂製であって、左右方向の一端側等の適当部位に第２突出部５９が一体に設けられている。第２突出部５９はアース部を構成するもので、固定ネジ６１用の下孔５９ｃが略水平方向に設けられている。また前枠４の裏側上部には、外部取り出し端子の端子カバー等の隣接部材７１が配置されており、この隣接部材７１に第２突出部５９に対応して上側に突出する第１突出部５８が設けられている。
【００６３】
第１突出部５８と第２突出部５９とはアース線５７の端子具６０に見合う間隔で左右方向に相対向しており、この第１突出部５８と第２突出部５９との間に端子具６０が介在され、第１突出部５８の取り付け孔５８ｄから挿入して第２突出部５９に螺合する固定ネジ６１により固定されている。
【００６４】
なお、球タンク７０が絶縁性を有する合成樹脂製の場合には、球タンク７０内の遊技球と接触するように鉄板等の導体を設け、その導体を第２突出部５９へと導いてもよい。その他の構成は各実施形態と同様である。
【００６５】
このように第１突出部５８と第２突出部５９とが左右方向に相対向する場合にも、その両突出部５８，５９間に端子具６０を介在して固定ネジ６１により固定することが可能である。従って、第１突出部５８と第２突出部５９とが左右方向又は前後方向に相対向する場合にも、上下方向に相対向する場合と同様に実施することが可能である。
【００６６】
なお、第１突出部５８と第２突出部５９は、両突出部５８，５９で端子具６０を挟む方向に相対応していれば十分である。
【００６７】
以上、本発明の各実施形態について例示したが、本発明はこの各実施形態に限定されるものではなく、本発明の趣旨を逸脱しない範囲で種々の変更が可能である。例えば、各実施形態ではパチンコ機について例示したが、パチンコ機以外のアレンジボール機、雀球機、スロットマシンその他の遊技機に広く採用可能である。
【００６８】
また実施形態では、第１部材として貯留皿１６、隣接部材７１を例示し、第２部材として演出ボタンユニット１８の外周枠５１、球タンク７０を例示しているが、第１突出部５８と第２突出部５９とを近くに相対向して配置できるものであれば、これら以外のものでもよい。第１部材と第２部材は別々に固定できるものであることが望ましいが、一緒に固定するようなものでもよい。
【００６９】
第１突出部５８と第２突出部５９との間隔は端子具６０の厚さと略同程度が望ましいが、両突出部５８，５９間に端子具６０をその板面方向に挿入し得る構造であれば、端子具６０の厚さよりも小さくてもよい。
【００７０】
また第１突出部５８と第２突出部５９は、その一方又は両方が導体層５６を備えたアース部である等、少なくとも一方がアース部であればよい。第１突出部５８、第２突出部５９を省略して、貯留皿１６と演出ボタンユニット１８の外周枠５１とにより端子具６０を直接挟むようにしてもよい。
【００７１】
第１突出部５８と第２突出部５９の間には端子具６０を介在しているが、アース線５７の導線等の導体部５７ａを直接介在するようにしてもよい。固定具は固定ネジ６１が一般的であるが、固定ネジ６１以外のピン、その他のものを使用してもよい。
【００７２】
また固定具は端子具６０等の導体部が両突出部５８，５９間から外れないように固定できれば十分であり、必ずしも端子具６０の通孔６０ａに挿通する必要はない。導体層５６は金属メッキでもよいが、金属板、金属線等で導体層５６に代わる導体部を設けてもよい。
【符号の説明】
【００７３】
１６  貯留皿
１８  演出ボタンユニット
５６  導体層
５７  アース線
６０  端子具
６０ａ  通孔
６１  固定ネジ（固定具）
５８  第１突出部（第１部材）
５９  第２突出部（第２部材）
６４  位置決め手段
【図１】
2016165403.tif 000003
【図２】
2016165403.tif 000004
【図３】
2016165403.tif 000005
【図４】
2016165403.tif 000006
【図５】
2016165403.tif 000007
【図６】
2016165403.tif 000008
【図７】
2016165403.tif 000009
【図８】
2016165403.tif 000010
【図９】
2016165403.tif 000011
【図１０】
2016165403.tif 000012
【図１１】
2016165403.tif 000013
【図１２】
2016165403.tif 000014
【図１３】
2016165403.tif 000015
【図１４】
2016165403.tif 000016
【図１５】
2016165403.tif 000017
【図１６】
2016165403.tif 000018
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
発射用の遊技球を貯留する貯留皿の前側に、カバーから上側に突出する演出ボタンを備え、
所定の操作期間内に遊技者が前記演出ボタンの操作部を押圧操作したときに所定の演出を行うようにした遊技機において、
前記カバーは、
前記操作部よりも下側に位置する低部と、
該低部よりも上側に突出する突部と、を備え、
前記突部は、前記操作部を押圧操作したときに遊技者の手が接触可能な導体層を備え、
前記導体層を前記カバーの内側でアース線に接続した
ことを特徴とする遊技機。
【手続補正２】
【補正対象書類名】明細書
【補正対象項目名】０００４
【補正方法】変更
【補正の内容】
【０００４】
従来のパチンコ機等は、遊技球と構成部材との接触により発生する帯電を防止するようにしているが、遊技者が演出ボタンの操作部を操作したときに、遊技者の着衣等に帯電した電荷を放電することはできなかった。
本発明は、このような従来の問題点に鑑み、遊技者が演出ボタンの操作部を押圧操作したときに、遊技者の着衣等に帯電する電荷をアース線を通じて大地へと逃がすことができる遊技機を提供するものである。
【手続補正３】
【補正対象書類名】明細書
【補正対象項目名】０００５
【補正方法】変更
【補正の内容】
【０００５】
本発明は、発射用の遊技球を貯留する貯留皿の前側に、カバーから上側に突出する演出ボタンを備え、所定の操作期間内に遊技者が前記演出ボタンの操作部を押圧操作したときに所定の演出を行うようにした遊技機において、前記カバーは、前記操作部よりも下側に位置する低部と、該低部よりも上側に突出する突部と、を備え、前記突部は、前記操作部を押圧操作したときに遊技者の手が接触可能な導体層を備え、前記導体層を前記カバーの内側でアース線に接続したものである。
【手続補正４】
【補正対象書類名】明細書
【補正対象項目名】０００６
【補正方法】変更
【補正の内容】
【０００６】
本発明によれば、遊技者が演出ボタンの操作部を押圧操作したときに、遊技者の着衣等に帯電する電荷をアース線を通じて大地へと逃がすことができる利点がある。